【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
繊維材料および非繊維材料の表面の汚れの剥離を促進する処理方法において、
（ａ）カルボキシル基を含有する１つ以上のエチレン系不飽和モノマーまたはその塩６０〜９９．９９質量％、
（ｂ）１つ以上の水不溶性モノエチレン系不飽和モノマー０〜４０質量％、
（ｃ）１つ以上のエチレン系ポリ不飽和モノマー０．０１〜３０質量％、
（ｄ）スルホン酸基および／またはホスホン酸基を含有する１つ以上のモノマーまたはその塩０〜２５質量％、
（ｅ）１つ以上の水溶性非イオン性モノマー０〜３０質量％からなる架橋されたポリマーを基礎とする陽イオン変性された親水性ナノ粒子を水性分散液から前記材料の表面上に施こし、この場合親水性ナノ粒子の水性分散液は、陰イオン乳化剤、非イオン乳化剤および／またはベタイン乳化剤および／または保護コロイドで安定化されていてよく、親水性ナノ粒子は、１０ｎｍ〜２μｍの粒径を有し、表面を１つ以上の陽イオンポリマー、１つ以上の多価金属イオンおよび／または１つ以上の陽イオン界面活性剤で被覆することによって陽イオン性に変性されていることを特徴とする、繊維材料および非繊維材料の表面の汚れの剥離を促進する処理方法。
【請求項２】
水性分散液は、親水性ナノ粒子を０．０００２〜１質量％含有する、請求項１記載の方法。
【請求項３】
水性分散液のｐＨ値は、１〜１１である、請求項１または２に記載の方法。
【請求項４】
陽イオンポリマーがビニルアミン単位を含有するポリマー、ビニルイミダゾール単位を含有するポリマー、第４級ビニルイミダゾール単位を含有するポリマー、イミダゾール／エピクロロヒドリン縮合物、架橋されたポリアミドアミン、エチレンイミンでグラフトされ架橋されたポリアミドアミン、ポリエチレンイミン、アルコキシル化ポリエチレンイミン、架橋されたポリエチレンイミン、アミド化ポリエチレンイミン、アルキル化ポリエチレンイミン、ポリアミン、アミン／エピクロロヒドリン重縮合物、アルコキシル化ポリアミン、ポリアリルアミン、ポリジメチルジアリルアンモニウムクロリド、塩基性（メタ）アクリルアミド単位または（メタ）アクリルエステル単位を含有するポリマー、塩基性第４級（メタ）アクリルアミド単位または（メタ）アクリルエステル単位を含有するポリマーおよびリシン縮合物からなる群から選択される、請求項１から３までのいずれか１項に記載の方法。
【請求項５】
多価金属陽イオンがＭｇ２＋、Ｃａ２＋、Ｂａ２＋、Ａｌ３＋およびＺｎ２＋からなる群から選択される、請求項１から３までのいずれか１項に記載の方法。
【請求項６】
陽イオン界面活性剤がＣ７〜Ｃ２５−アルキルアミン化合物、Ｃ７〜Ｃ２５−アルキルアンモニウム化合物、ジ（Ｃ７〜Ｃ２５）アルキルアンモニウム化合物、Ｃ７〜Ｃ２５−アルキルエステル第４級アンモニウム化合物およびＣ７〜Ｃ２５−アルキルイミダゾリニウム化合物からなる群から選択される、請求項１から４までのいずれか１項に記載の方法。
【請求項７】
（ａ）カルボキシル基を含有する１つ以上のエチレン系不飽和モノマーまたはその塩６０〜９９．９９質量％、
（ｂ）１つ以上の水不溶性モノエチレン系不飽和モノマー０〜４０質量％、
（ｃ）１つ以上のエチレン系ポリ不飽和モノマー０．０１〜３０質量％、
（ｄ）スルホン酸基および／またはホスホン酸基を含有する１つ以上のモノマーまたはその塩０〜２５質量％、
（ｅ）１つ以上の水溶性非イオン性モノマー０〜３０質量％からなる架橋されたポリマーを基礎とする陽イオン変性された親水性ナノ粒子であって、この場合１０ｎｍ〜２μｍの粒径を有し、表面を１つ以上の陽イオンポリマー、１つ以上の多価金属イオンおよび／または１つ以上の陽イオン界面活性剤で被覆することによって陽イオン性に変性されている親水性ナノ粒子。
【請求項８】
（ａ）カルボキシル基を含有する１つ以上のエチレン系不飽和モノマーまたはその塩６０〜９９．９９質量％、
（ｂ）１つ以上の水不溶性モノエチレン系不飽和モノマー０〜４０質量％、
（ｃ）１つ以上のエチレン系ポリ不飽和モノマー０．０１〜３０質量％、
（ｄ）スルホン酸基および／またはホスホン酸基を含有する１つ以上のモノマーまたはその塩０〜２５質量％、
（ｅ）１つ以上の水溶性非イオン性モノマー０〜３０質量％からなる架橋されたポリマーを基礎とする陽イオン変性された親水性ナノ粒子の水性分散液であって、この場合親水性ナノ粒子の分散液は、陰イオン乳化剤、非イオン乳化剤および／またはベタイン乳化剤および／または保護コロイドで安定化されていてよく、親水性ナノ粒子は、１０ｎｍ〜２μｍの粒径を有し、表面を１つ以上の陽イオンポリマー、１つ以上の多価金属イオンおよび／または１つ以上の陽イオン界面活性剤で被覆することによって陽イオン性に変性されている、親水性ナノ粒子の水性分散液。
【請求項９】
親水性ナノ粒子を０．００１〜５０質量％含有する、請求項８記載の水性分散液。
【請求項１０】
繊維材料または非繊維材料の表面の汚れの剥離を促進する処理剤において、
ａ）請求項７に定義したような親水性ナノ粒子０．０５〜４０質量％、
ｂ）１つ以上の陽イオンポリマー、陽イオン界面活性剤および／またはＭｇ、Ｃａ、ＺｎまたはＡｌの水溶性塩０〜３０質量％、
ｃ）酸０〜２０質量％、
ｄ）常用の添加剤、例えば塩基、無機ビルダー、有機コビルダー、他の界面活性剤、高分子量の色移り抑制剤、高分子量の抗再沈殿剤、さらにａ）とは異なる汚れ放出ポリマー、酵素、複合体形成剤、耐蝕剤、ワックス、シリコーン油、光安定剤、染料、溶剤、硬化剤、ヒドロトロープ、濃稠化剤および／またはアルカノールアミン０〜８０質量％、
ｅ）水０〜９９．９５質量％を含有する、繊維材料または非繊維材料の表面の汚れの剥離を促進する処理剤。
【請求項１１】
ｂ）陽イオンポリマー、陽イオン界面活性剤および／またはＭｇ、Ｃａ、ＺｎまたはＡｌの水溶性塩０．１〜３０質量％を含有する、請求項１０記載の薬剤。
【請求項１２】
ｃ）酸０．０１〜１０質量％を含有する、請求項１０または１１に記載の薬剤。
【請求項１３】
ｄ）常用の添加剤０．０１〜４０質量％、
ｅ）水５０〜９５質量％を含有する、請求項１０から１２までのいずれか１項に記載の薬剤。
【手続補正２】
【補正対象書類名】明細書
【補正対象項目名】００８６
【補正方法】変更
【補正の内容】
【００８６】
本発明の対象は、次のもの：
ａ）親水性ナノ粒子０．０５〜４０質量％、
ｂ）１つ以上の陽イオンポリマー、陽イオン界面活性剤および／またはＭｇ、Ｃａ、ＺｎまたはＡｌの水溶性塩０〜３０質量％、
ｃ）酸０〜２０質量％、
ｄ）常用の添加剤、例えば塩基、無機ビルダー、有機コビルダー、他の界面活性剤、高分子量の色移り抑制剤、高分子量の抗再沈殿剤、さらにａ）とは異なる汚れ放出ポリマー、酵素、複合体形成剤、耐蝕剤、ワックス、シリコーン油、光安定剤、染料、非水性溶剤、硬化剤、ヒドロトロープ、濃稠化剤および／またはアルカノールアミン０〜８０質量％を含有する、繊維材料および非繊維材料の表面の汚れの剥離を促進する処理剤でもある。
【手続補正３】
【補正対象書類名】明細書
【補正対象項目名】００８８
【補正方法】変更
【補正の内容】
【００８８】
水での希釈に使用される、表面を処理するための本発明による薬剤は、例えば次の組成：
（ａ）親水性ナノ粒子０．１〜４０質量％、
（ｃ）酸０〜２０質量％、および
（ｄ）常用の添加剤、例えば酸、塩基、無機ビルダー、有機コビルダー、界面活性剤、高分子量の色移り抑制剤、高分子量の抗再沈殿剤、さらに（ａ）とは異なる汚れ放出ポリマー、酵素、芳香剤、複合体形成剤、耐蝕剤、ワックス、シリコーン油、光安定剤、染料、非水性溶剤、ヒドロトロープ、濃稠化剤および／またはアルカノールアミン０．０１〜８０質量％を有する。
【手続補正４】
【補正対象書類名】明細書
【補正対象項目名】００８９
【補正方法】変更
【補正の内容】
【００８９】
水での希釈に使用される、表面を処理するための好ましい本発明による薬剤は、例えば次の組成：
（ａ）親水性ナノ粒子０．１〜４０質量％、
（ｂ）陽イオンポリマーおよび／またはＭｇ、Ｃａ、ＺｎまたはＡｌの水溶性塩および／または陽イオン界面活性剤０．１〜３０質量％、
（ｃ）酸０〜２０質量％、および
（ｄ）常用の添加剤、例えば塩基、無機ビルダー、有機コビルダー、界面活性剤、高分子量の色移り抑制剤、高分子量の抗再沈殿剤、さらに（ａ）とは異なる汚れ放出ポリマー、酵素、芳香剤、複合体形成剤、耐蝕剤、ワックス、シリコーン油、光安定剤、染料、非水性溶剤、硬化剤、ヒドロトロープ、濃稠化剤および／またはアルカノールアミン０〜８０質量％を有する。
【手続補正５】
【補正対象書類名】明細書
【補正対象項目名】００９０
【補正方法】変更
【補正の内容】
【００９０】
更に、水での希釈に使用される、表面を処理するための好ましい本発明による薬剤は、例えば次の組成：
（ａ）親水性ナノ粒子０．１〜４０質量％、
（ｃ）酸０．１〜２０質量％、および
（ｄ）常用の添加剤、例えば塩基、無機ビルダー、有機コビルダー、界面活性剤、高分子量の色移り抑制剤、高分子量の抗再沈殿剤、さらに（ａ）とは異なる汚れ放出ポリマー、酵素、芳香剤、複合体形成剤、耐蝕剤、ワックス、シリコーン油、光安定剤、染料、非水性溶剤、硬化剤、ヒドロトロープ、濃稠化剤および／またはアルカノールアミン０〜８０質量％を有する。
【手続補正６】
【補正対象書類名】明細書
【補正対象項目名】００９１
【補正方法】変更
【補正の内容】
【００９１】
水での希釈に使用される、表面を処理するための特に好ましい本発明による薬剤は、例えば次の組成：
（ａ）親水性ナノ粒子０．１〜４０質量％、
（ｂ）陽イオンポリマー、Ｍｇ、Ｃａ、ＺｎまたはＡｌの水溶性塩および／または陽イオン界面活性剤０．０１〜３０質量％、
（ｃ）酸０．１〜１０質量％、および
（ｄ）常用の添加剤、例えば塩基、無機ビルダー、有機コビルダー、他の界面活性剤、高分子量の色移り抑制剤、高分子量の抗再沈殿剤、さらに（ａ）とは異なる汚れ放出ポリマー、酵素、芳香剤、複合体形成剤、耐蝕剤、ワックス、シリコーン油、光安定剤、染料、非水性溶剤、ヒドロトロープ、濃稠化剤および／またはアルカノールアミン０．０１〜８０質量％を有する。
【手続補正７】
【補正対象書類名】明細書
【補正対象項目名】００９３
【補正方法】変更
【補正の内容】
【００９３】
水での希釈に使用される、表面の汚れの剥離を促進するための液状の薬剤は、例えば次の組成：
（ａ）親水性ナノ粒子０．１〜４０質量％、
（ｃ）酸０．１〜１０質量％、
（ｄ）常用の添加剤、例えば塩基、無機ビルダー、有機コビルダー、界面活性剤、高分子量の色移り抑制剤、高分子量の抗再沈殿剤、さらに（ａ）とは異なる汚れ放出ポリマー、酵素、芳香剤、複合体形成剤、耐蝕剤、ワックス、シリコーン油、光安定剤、染料、非水性溶剤、ヒドロトロープ、濃稠化剤および／またはアルカノールアミン０．０１〜４０質量％、および
（ｅ）水５０〜９５質量％を有していてもよく、この場合この薬剤のｐＨ値は、１〜１０である。
【手続補正８】
【補正対象書類名】明細書
【補正対象項目名】００９４
【補正方法】変更
【補正の内容】
【００９４】
水での希釈に使用される、表面の汚れの剥離を促進するための好ましい液状の薬剤は、例えば次の組成：
（ａ）親水性ナノ粒子０．１〜４０質量％、
（ｂ）陽イオンポリマー、Ｍｇ、Ｃａ、ＺｎまたはＡｌの水溶性塩および／または陽イオン界面活性剤０．０１〜３０質量％、
（ｃ）酸０．１〜１０質量％、
（ｄ）常用の添加剤、例えば塩基、無機ビルダー、有機コビルダー、界面活性剤、高分子量の色移り抑制剤、高分子量の抗再沈殿剤、さらに（ａ）とは異なる汚れ放出ポリマー、酵素、芳香剤、複合体形成剤、耐蝕剤、ワックス、シリコーン油、光安定剤、染料、溶剤、ヒドロトロープ、濃稠化剤および／またはアルカノールアミン０．０１〜４０質量％、および
（ｅ）水５０〜９５質量％を有していてもよく、この場合この薬剤のｐＨ値は、１〜１０である。
【手続補正９】
【補正対象書類名】明細書
【補正対象項目名】００９７
【補正方法】変更
【補正の内容】
【００９７】
汚れの剥離を促進する洗濯後処理剤および洗濯手入れ剤は、例えば
（ａ）親水性ナノ粒子０．１〜３０質量％、
（ｂ）陽イオンポリマー、Ｍｇ、Ｃａ、ＺｎまたはＡｌの水溶性塩および／または陽イオン界面活性剤０．１〜１０質量％、
（ｃ）カルボン酸、例えば蟻酸、クエン酸、アジピン酸、琥珀酸、蓚酸またはこれらの混合物０．０５〜２０質量％、
（ｄ）常用の内容物質、例えば香料、シリコーン油、光安定剤、染料、複合体抑制剤、抗再沈殿剤、さらに（ａ）とは異なる汚れ放出ポリマー、色移り抑制剤、非水性溶剤、ヒドロトロープ、濃稠化剤および／またはアルカノールアミン０〜１０質量％、および
（ｅ）水３０〜９９．６５質量％を含有する。
【手続補正１０】
【補正対象書類名】明細書
【補正対象項目名】００９８
【補正方法】変更
【補正の内容】
【００９８】
好ましい、汚れの剥離を促進する洗濯後処理剤および洗濯手入れ剤は、
（ａ）親水性ナノ粒子１〜３０質量％、
（ｂ）陽イオンポリマーおよび／またはＭｇ、Ｃａ、ＺｎまたはＡｌの水溶性塩および／または陽イオン界面活性剤０．１〜３０質量％、
（ｃ）カルボン酸、例えば蟻酸、クエン酸、アジピン酸、琥珀酸、蓚酸またはこれらの混合物１〜１５質量％、
（ｄ）常用の内容物質、例えば香料、シリコーン油、光安定剤、染料、複合体抑制剤、抗再沈殿剤、さらに（ａ）とは異なる汚れ放出ポリマー、色移り抑制剤、非水性溶剤、ヒドロトロープ、濃稠化剤および／またはアルカノールアミン０〜１０質量％、および
（ｅ）水１５〜９７．９質量％を含有する。
【手続補正１１】
【補正対象書類名】明細書
【補正対象項目名】０１０１
【補正方法】変更
【補正の内容】
【０１０１】
更に、本発明による陽イオン変性された親水性ナノ粒子の使用形は、処理すべき表面上への希釈された水性配合物の噴霧にある。これは、家庭におけるかまたは産業上での使用において、スプレー瓶または自動噴霧装置を用いての噴霧によって行なうことができる。このために適した配合物は、例えば次の組成：
（ａ）親水性ナノ粒子０．００５〜２質量％、
（ｂ）陽イオンポリマーおよび／またはＭｇ、Ｃａ、ＺｎまたはＡｌの水溶性塩および／または陽イオン界面活性剤０．０００５〜１質量％、
（ｃ）常用の添加剤、例えば塩基、無機ビルダー、有機コビルダー、界面活性剤、高分子量の色移り抑制剤、高分子量の灰化抑制剤、さらに（ａ）とは異なる汚れ放出ポリマー、酵素、芳香剤、複合体形成剤、耐蝕剤、ワックス、シリコーン油、光安定剤、染料、溶剤、ヒドロトロープ、濃稠化剤および／またはアルカノールアミン０〜１０質量％、および
（ｄ）水９９．９９４５〜８７質量％を有し、この場合この薬剤のｐＨ値は、１〜１０である。